(57)【特許請求の範囲】
【請求項１】
第１の出力信号を送信している一方のトランシーバー・チェーンを、他方のトランシーバー・チェーンが第２の出力信号を並行して送信している間に較正するように構成されているワイヤレス通信デバイスであって、
コア・ロジックおよび第１のアンテナ間に並列で結合されている、電力増幅器を備えた第１の送信回路および第１の受信回路を含む第１のトランシーバー・チェーンであって、この第１のトランシーバー・チェーンは、前記第１の送信回路から前記第１の受信回路に直接的に、ループバック較正信号として前記第１の出力信号を送るように構成されているループバック・パスをさらに含む、第１のトランシーバー・チェーンと、
前記コア・ロジックおよび第２のアンテナ間に並列で結合されている第２の送信回路および第２の受信回路を含む第２のトランシーバー・チェーンであって、この第２のトランシーバー・チェーンは、前記第１のトランシーバー・チェーンが前記第１のアンテナを介して前記第１の出力信号を送信する間に、前記第２のアンテナを介して前記第２の出力信号を送信する、第２のトランシーバー・チェーンと、
前記第２の送信回路および前記第１の受信回路間に接続されている干渉プロセッサであって、この干渉プロセッサは、前記第１のアンテナによって受信される前記第２の出力信号の望ましくないコンポーネントを、前記ループバック較正信号から除去する補償信号を生成するために、前記第２の出力信号を処理するように構成されている、干渉プロセッサと、を備えた、ワイヤレス通信デバイス。
【請求項２】
前記第１および第２の出力信号は、所定の波形を有するダミーのパケットではない、請求項１に記載のデバイス。
【請求項３】
前記干渉プロセッサは、前記干渉プロセッサを選択的に可能にするイネーブル信号を受信するために、制御入力をさらに含む、請求項１に記載のデバイス。
【請求項４】
前記第１の受信回路は、前記第２のトランシーバー・チェーンが前記第２の出力信号を送信している間に、前記第１のトランシーバー・チェーンを較正する第１の較正信号を生成するために、前記ループバック較正信号から前記補償信号を差し引く合計ノードをさらに含む、請求項１に記載のデバイス。
【請求項５】
前記第２の出力信号は、第２の送信チェーン内の電力増幅器の出力信号を含む、請求項４に記載のデバイス。
【請求項６】
前記第１の較正信号は、前記第１の送信回路内の電力増幅器の非線形性を予め補償するために、前記第１のトランシーバー・チェーンに前記コア・ロジックによって提供される信号を予め歪ませるプレディストーション信号を含む、請求項４に記載のデバイス。
【請求項７】
前記第１の較正信号は、前記電力増幅器の非線形性を予め補償するために、前記第１の送信回路内の電力増幅器の利得設定値を選択的に調整する、請求項４に記載デバイス。
【請求項８】
前記ループバック・パスは、前記ループバック較正信号を生成するために前記第１の出力信号を減衰する減衰回路を含む、請求項４に記載のデバイス。
【請求項９】
ワイヤレス通信デバイスの一方のトランシーバー・チェーンを、前記デバイスの他方のトランシーバー・チェーンが動作中である間に較正する方法であって、
第２のアンテナを使用して前記デバイスの第２のトランシーバー・チェーンから第２の出力信号を並行して送信している間に、第１のアンテナを使用して前記デバイスの第１のトランシーバー・チェーンから第１の出力信号を送信することと、
前記第１のトランシーバー・チェーンの電力増幅器を備えた送信回路から前記第１のトランシーバー・チェーンの受信回路にループバック較正信号として前記第１の出力信号を送ることと、
補償信号を生成するために干渉プロセッサにおける前記第２の出力信号を処理することと、
第１の較正信号を生成するために、前記ループバック較正信号から前記補償信号を差し引くことと、
前記第１の較正信号に応答して前記第１のトランシーバー・チェーンの１つ以上のコンポーネントの設定値を選択的に調整することと、を含む、方法。
【請求項１０】
前記補償信号は、前記第１のアンテナによって受信される前記第２の出力信号の望ましくないコンポーネントを、前記ループバック較正信号から除去する、請求項９に記載の方法。
【請求項１１】
前記第２の出力信号の前記望ましくないコンポーネントは、前記第１のトランシーバー・チェーンの前記受信回路において、前記ループバック較正信号に重ね合わされる、請求項１０に記載の方法。
【請求項１２】
前記第１および第２の出力信号は、所定の波形を有するダミーのパケットではない、請求項９に記載の方法。
【請求項１３】
前記第１の較正信号は、コア・ロジックによって前記第１のトランシーバー・チェーンに提供される信号を予め歪ませるプレディストーション信号を含む、請求項９に記載の方法。
【請求項１４】
前記第１の較正信号は、前記第１のトランシーバー・チェーン内に提供される電力増幅器の利得設定値を選択的に調整する、請求項９に記載の方法。
【請求項１５】
第１の信号を送信している一方のトランシーバー・チェーンを、他方のトランシーバー・チェーンが第２の信号を並行して送信している間に較正するように構成されているワイヤレス通信デバイスであって、
第２のアンテナを使用して前記デバイスの第２のトランシーバー・チェーンから第２の出力信号を並行して送信している間に、第１のアンテナを使用して前記デバイスの第１のトランシーバー・チェーンから第１の出力信号を送信するための手段と、
前記第１のトランシーバー・チェーンの電力増幅器を備えた送信回路から前記第１のトランシーバー・チェーンの受信回路にループバック較正信号として前記第１の出力信号を送るための手段と、
補償信号を生成するために、干渉プロセッサにおいて前記第２の出力信号を処理するための手段と、
第１の較正信号を生成するために、前記ループバック較正信号から前記補償信号を差し引くための手段と、
前記第１の較正信号に応答して前記第１のトランシーバー・チェーンの１つ以上のコンポーネントの設定値を選択的に調整するための手段と、を含む、ワイヤレス通信デバイス。
【請求項１６】
前記補償信号は、前記第１のアンテナによって受信される前記第２の出力信号の望ましくないコンポーネントを、前記ループバック較正信号から除去する、請求項１５に記載のデバイス。
【請求項１７】
前記第２の出力信号の前記望ましくないコンポーネントは、前記第１のトランシーバー・チェーンの前記受信回路において、前記ループバック較正信号に重ね合わされる、請求項１６に記載のデバイス。
【請求項１８】
前記第１および第２の出力信号は、所定の波形を有するダミーのパケットではない、請求項１５に記載のデバイス。
【請求項１９】
前記第１の較正信号は、前記第１のトランシーバー・チェーンにコア・ロジックによって提供される信号を予め歪ませるプレディストーション信号を含む、請求項１５に記載のデバイス。
【請求項２０】
前記第１の較正信号は、前記第１のトランシーバー・チェーン内に提供される電力増幅器の利得設定値を選択的に調整する、請求項１５に記載のデバイス。
【発明の詳細な説明】
【技術分野】
【０００１】
[0001]  本実施形態は、概して通信システムに、特に、複数のアンテナ送信機の電力増幅器を較正するための適応干渉キャンセル（adaptive interference cancellation）に関わる。
【背景技術】
【０００２】
[0002]  ワイヤレス・トランシーバーを使用して高出力の信号を送信することは、前記トランシーバー内に設けられている電力増幅器（ＰＡｓ）の特有の非線形性が原因で困難となる可能性がある。実際、電力増幅器は、これらの動作特性が予測可能であるように、動作の制限された線形領域を典型的に有している。例えば、電力増幅器の動作温度および／または電力レベルが所定の範囲外である場合、前記電力増幅器は、アンテナによる受信デバイスへの次の送信のために増幅されるデータ信号を望ましくないことにひずませる非線形の様式で、動作し始め得る。結果として生じる信号のひずみが、前記受信デバイスにおけるデータ・エラーを引き起こす可能性があり、送信デバイスにおけるフロント・エンド回路（front-end circuitry）に過重の負担をかけ、さらにこれにダメージをも与える可能性がある。前記電力増幅器の特有の線形性を補償するために、プレディストーション技術（pre-distortion technique）が、（例えば前記電力増幅器の利得を調整することによって、）信号の電力レベルを所定の範囲内に維持するために、適用されることができる。
【０００３】
[0003]  より具体的には、多数のトランシーバーが、前記電力増幅器から出力される信号をプレディストーション回路に送信するループバック・パスを含んでおり、このプレディストーション回路は、前記電力増幅器の動きを表す一連の値を算出するように、ループバック信号を（例えば、ループバック信号と最初の信号を比較することによって）処理する。これらの値は、例えば、前記信号を、前記電力増幅器に適用される前に前処理すること（pre-conditioning）によって、および／または、前記電力増幅器の１つ以上の設定値（例えば利得設定値（gain setting））を調整することによって、前記電力増幅器を較正するために、使用されることができる。このような較正技術を使用するワイヤレス通信デバイスの多くに関しては、前記ループバック信号は、デバイス・リソースの無駄な重複を防ぐために、前記デバイスの受信回路を介して前記プレディストーション回路に送信される。適切な較正を果たすために、前記ループバック信号は、非常に正確である（例えば、約−４０ｄＢｍ未満のエラーを有する）べきである。
【０００４】
[0004]  多入力多出力（ＭＩＭＯ）ワイヤレス通信デバイスの多くは、トランシーバーのデータ・レートを高めるために、および／または、マルチパス・フェージング（multipath fading）によって影響される通信チャンネル中の信号ダイバーシティを得るために、複数の送受信チェーンおよびアンテナを使用する。あいにく、ＭＩＭＯトランシーバーは、並行して信号を送信するときに、前記送信チェーン間の限られたアイソレーションによって、（混信、またはチャンネル間の干渉、およびマルチパスの分散（multipath dispersion）によって生じる符号間干渉（inter-symbol interference）のような）性能劣化を起こしやすい。より具体的には、多数のＭＩＭＯワイヤレス・デバイスにおける送信チェーン間のアイソレーションが約２０ｄＢｍであるので、２つのトランシーバー・チェーンを有するワイヤレス・デバイスにおける第１のトランシーバー・チェーンの較正の間に、第２のトランシーバー・チェーンは、典型的に、（例えば、信号を送信することを妨げられて、）前記第２のトランシーバー・チェーンによって送信される信号が、前記第１のトランシーバー・チェーンによって不注意に受信されることと、前記第１のトランシーバー・チェーンの較正に関連して前記ループバック信号に干渉することを、防ぐことができない。実際、ＭＩＭＯワイヤレス・デバイスの多くは、較正プロセスが完了するまで、送信動作を、全ての送信チェーンに対してラウンド・ロビン・スキームにおいて単一チェーン（すなわち較正チェーン）に減じ、従って、前記デバイスを単一チェーン送信に有効に減じ、このことが、望ましくないことに、送信データ・レートを下げる。
【０００５】
[0005]  かくして、ＭＩＭＯワイヤレス・トランシーバーに関しては、一方のトランシーバーが、他方のトランシーバー・チェーンが並行してデータを送信する間に、較正されることを可能にすることが、望ましい。
【０００６】
[0006]  ここでの開示は、添付の図面の図において、制限のためではなく、例のために示されており、これら図面では、同じ参照符号が、同じ要素を示す。
【図面の簡単な説明】
【０００７】
【図１】[0007]  図１は、本実施形態が実現されるワイヤレス通信デバイスを示す。
【図２】[0008]  図２は、本実施形態に従って構成されている２チェーン・ワイヤレス通信デバイスの機能ブロック図である。
【図３】[0009]  図３は、図２のワイヤレス通信デバイスの一実施形態のより詳細なブロック図である。
【図４】[0010]  図４は、電力増幅器の非線形の伝達関数（non-linear transfer function）を示しているグラフである。
【図５】[0011]  図５は、いくつかの実施形態に係る複数のアンテナ・ワイヤレス通信デバイスのブロック図である。
【図６】[0012]  図６は、いくつかの実施形態に係る例示的な較正動作を示すフロー・ダイヤグラムである。
【発明を実施するための形態】
【０００８】
[0013]  ワイヤレス通信デバイスにおいて一方のトランシーバー・チェーンを、他方のトランシーバー・チェーンがワイヤレス信号を送信している間に較正するための方法および装置が、開示される。以下の説明では、複数の具体的な詳細、例えば、特定のコンポーネント、回路、ソフトウェア、およびプロセスが、本開示の完全な理解を提供するために記載される。また、以下の説明では、説明の目的で、特定の用語体系（specific nomenclature）が、本実施形態の完全な理解を提供するために記載される。しかしながら、これらの具体的な詳細が本実施形態を実施するために必要とされないかもしれないことが、当業者には明らかであるだろう。他の事例では、周知の回路およびデバイスが、本開示を不明確にすることを避けるためにブロック図形式で示される。ここに使用されているような「結合されている（coupled）」という用語は、１つ以上の介在するコンポーネントまたは回路を介して接続されること、または、直接的に接続されること、を意味する。ここに記載のさまざまなバスにわたって提供される信号のいずれも、他の信号と時分割多重化され得、且つ１つ以上の共通のバスにわたって提供され得る。さらに、回路エレメント間またはソフトウェア・ブロック間の相互接続が、複数のバスとして、または複数の単一信号線として、示され得る。あるいは、複数のバスの各々が、１つの単一の信号線であり得、あるいは、複数の単一の信号線の各々は、複数のバスであり得、１つの単一線またはバスは、コンポーネント間の通信のための無数の物理的または論理的メカニズムのうちの、いずれか１つ以上を表し得る。
【０００９】
[0014]  コア・ロジック、第１および第２のトランシーバー・チェーン、第１および第２のアンテナ、および干渉プロセッサを含む例示的なワイヤレス通信デバイスが、開示される。前記コア・ロジックは、第１および第２のトランシーバー・チェーンの両方に結合されており、そしてこれら第１および第２のトランシーバー・チェーンは、前記第１および第２のアンテナにそれぞれ接続されている。前記干渉プロセッサは、前記第１および第２のトランシーバー・チェーン間に結合されており、前記コア・ロジックまたは他の適切な回路によって生成されることができるイネーブル信号（enable signal）に対応する。前記第２のトランシーバー・チェーンが第２のアンテナを介して第２の信号を送信している間に、前記第１のトランシーバー・チェーンに生成される第１の信号を使用して前記第１のトランシーバー・チェーン内の回路を較正するために、前記イネーブル信号は、前記干渉プロセッサを活性化させるためにアサートされる。このことに応答して、前記干渉プロセッサは、望ましくないことに前記第１のアンテナによってピック・アップされ且つ前記第１のトランシーバー・チェーン内の受信回路に提供される第２の信号の望ましくないコンポーネントを補償するために使用されることができる干渉フィードバック・パスを形成するために、前記第１のトランシーバー・チェーンの受信回路に、前記第２のトランシーバー・チェーンの送信回路を接続する。
【００１０】
[0015]  より具体的には、前記コア・ロジックは、前記第１のアンテナによる送信のために前記第１のチェーンに提供される第１のデジタル信号を生成し、並行して、前記第２のアンテナによる送信のために前記第２のチェーンに提供される第２のデジタル信号を生成する。前記第１の信号は、関連する第１のデジタル・アナログ変換器（ＤＡＣ：digital-to-analog converter）によってアナログ信号に変換され、関連する第１の電力増幅器によって増幅され、そして、前記第１のアンテナによって選択的に送信される。前記第１の電力増幅器の出力信号は、減衰され、そして、前記第１のチェーンの受信回路にループバック較正信号として提供される。前記第２の信号は、関連する第２のＤＡＣによってアナログ信号に変換され、関連する第２の電力増幅器によって増幅され、そして、前記第２のアンテナによって送信される。前記第２の電力増幅器から出力される信号は、利得において（in gain）前記ループバック較正信号と一致される補償信号を生成するために、前記干渉プロセッサに提供され、および干渉プロセッサによって処理される。そして、前記補償信号は、前記第２のアンテナによって送信され且つ前記第１のアンテナによって受信される望ましくないコンポーネントを、前記ループバック較正信号から除去するために、前記ループバック較正信号から差し引かれる。このようにして、第２のチェーンから送信され且つ前記第１のチェーンによって望ましくないことに受信される信号に関連する干渉が、前記ループバック較正信号から除去される。そして、前記ループバック較正信号は、前記第２のチェーンが通常の方法でデータを送信している間に、前記第１のチェーンの前記電力増幅器を正確に較正するために、使用されることができる。いくつかの実施形態に関しては、前記較正信号は、例えば周知のプレディストーション技術を使用して前記電力増幅器の非線形性を補償するプレディストーション信号として、使用されることができる。他の実施形態に関しては、前記較正信号が、前記電力増幅器の電力レベルおよび／または利得設定値を調整するために使用されることができ、および／または、前記第１のＤＡＣのさまざまな設定値を調整するために使用されることができる。
【００１１】
[0016]  かくして、本実施形態に従えば、一方のトランシーバー・チェーンにおける電力増幅器を、他方のトランシーバー・チェーンが通常の方法でデータを送信する間に較正することが可能であることは、較正動作が、前記ワイヤレス通信デバイスのデータ・スループットを減じることなく実施されることを、可能にする。このようにして、両方のトランシーバー・チェーンの前記電力増幅器は、性能に不利に影響することなく、動作の線形領域に維持されることができる。
【００１２】
[0017]  図１は、いくつかの実施形態に従って複数のトランシーバー・チェーンを並行して使用して、Ｗｉ−Ｆｉ信号、ブルートゥース信号、セルラー信号、および／または他の無線周波数（ＲＦ)信号を送信するように構成されることができるセルラー電話およびラップトップのようなワイヤレス通信デバイス１００を示している。簡潔にするために示されていないが、無線デバイス１００は、タブレット・コンピュータ、デスクトップ・コンピュータ、ＰＤＡｓなどのような他のデバイスを含むことができる。いくつかの実施形態に関しては、ワイヤレス・デバイス１００は、インターネット、ＬＡＮ、ＷＬＡＮ、および／またはＶＰＮによってデータを交換するために、Ｗｉ−Ｆｉ信号を使用することができ、ヘッドセット、プリンタ、スキャナなどのようなローカル接続のブルートゥース対応のデバイス（local BT-enabled device）によってデータを交換するために、ブルートゥース信号を使用することができる。
【００１３】
[0018]  図２は、いくつかの実施形態に従って構成されているワイヤレス・デバイス２００の、高レベルの機能ブロック図である。ワイヤレス・デバイス２００は、コア・ロジック２１０、第１のトランシーバー・チェーン２２０Ａ、第２のトランシーバー・チェーン２２０Ｂ、第１のアンテナ２３１、第２のアンテナ２３２、および干渉プロセッサ２４０を含むように、示されている。メモリー・エレメントおよびプロセッサのような周知のエレメントを含むことができる前記コア・ロジック２１０は、前記ワイヤレス・デバイス２００のための処理機能および一般データ生成（general data generation）を実施する。前記第１のトランシーバー・チェーン２２０Ａは、コア・ロジック２１０および第１のアンテナ２３１間に結合されており、第１のアンテナ２３１を介する第１の信号（Ｓ１）の送信および受信を制御するように構成されている。前記第２のトランシーバー・チェーン２２０Ｂは、コア・ロジック２１０および第２のアンテナ２３２間に結合されており、第２のアンテナ２３２を介する第２の信号（Ｓ２)の送信および受信を制御するように構成されている。前記干渉プロセッサ２４０は、前記第１および第２のトランシーバー・チェーン２２０Ａ−２２０Ｂ間に結合されており、以下により詳細に説明されるように、一方のトランシーバー・チェーンの較正動作の精度を、他方のトランシーバー・チェーンがデータを送信している間に上げるために、使用されることができる。
【００１４】
[0019]  より具体的には、第１のトランシーバー・チェーン２２０Ａは、コア・ロジック２１０によって生成される信号を処理し、そして、第１のアンテナ２３１を介して他方のワイヤレス・デバイスまたはアクセス・ポイント（簡潔にするために示されていない）に前記信号を送信するように、構成されており、また、受信される信号を処理し、そして前記信号を第１のアンテナ２３１からコア・ロジック２１０に転送するように、構成されている。同様に、第２のトランシーバー・チェーン２２０Ｂは、コア・ロジック２１０によって生成される信号を処理し、そして、第２のアンテナ２３２を介して他方のワイヤレス・デバイスまたはアクセス・ポイント（簡潔にするために示されていない）に前記信号を送信するように、構成されており、また、受信される信号を処理し、そして前記信号を第２のアンテナ２３２からコア・ロジック２１０に転送するように、構成されている。ここに示されている例示的な実施形態に関しては、前記第１および第２のトランシーバー・チェーン２２０Ａ−２２０Ｂは、半二重のトランシーバー（half-duplex transceiver）として動作するように構成されており、このことは、各チェーン内の送信および受信回路が共通のアンテナを共有することを、可能にする。他の実施形態に関しては、各チェーン内の前記送信および受信回路（簡潔にするために図２に示されていない）は、全二重の動作を可能にするために、専用のアンテナに接続されることができる。さらに、２つのトランシーバー・チェーンのみを含むように示されているが、他の実施形態に関しては、ワイヤレス通信デバイス２００は、多数のトランシーバー・チェーンおよび／またはアンテナを含むことができる。
【００１５】
[0020]  図３は、図２のワイヤレス・デバイス２００の一実施形態であるワイヤレス・デバイス３００のより詳細なブロック図である。ワイヤレス・デバイス３００は、コア・ロジック２１０、第１のトランシーバー・チェーン２２０Ａ（ここではチェーンＡとも称される）、第２のトランシーバー・チェーン２２０Ｂ（ここではチェーンＢとも称される）、アンテナ２３１−２３２、および干渉プロセッサ２４０を含むように、示されている。コア・ロジック２１０および第１のアンテナ２３１間に結合されている前記第１のトランシーバー・チェーン２２０Ａは、デジタル・アナログ変換器（ＤＡＣ）３２０Ａ、電力増幅器（ＰＡ）３３０Ａ、減衰回路（attenuation circuit）３４０Ａ、低雑音増幅器（ＬＮＡ：low noise amplifier）３５０Ａ、合計ノード（summing node）３６０Ａ、およびアナログ・デジタル変換器（ＡＤＣ）３７０Ａを含むように示されている。前記ＤＡＣ３２０Ａおよび電力増幅器３３０Ａが第１のトランシーバー・チェーン２２０Ａのための送信回路を形成し、前記ＬＮＡ３５０ＡおよびＡＤＣ３７０Ａが第１のトランシーバー・チェーン２２０Ａのための受信回路を形成する、ということに留意されたい。さらに、簡潔にするために図３に示されていないが、第１のチェーン２２０Ａの送信回路は、例えばミキサー、フィルター、および電力制御テーブルを含む他の周知のエレメントを含むことができ、前記第１のチェーン２２０Ａの前記受信回路は、例えばミキサー、フィルター、およびダウン・サンプラーを含む他の周知のエレメントを含むことができる。
【００１６】
[0021]  コア・ロジック２１０および第２のアンテナ間に結合されている前記第２のトランシーバー・チェーン２２０Ｂは、ＤＡＣ３２０Ｂ、電力増幅器（ＰＡ)３３０Ｂ、減衰回路３４０Ｂ、ＬＮＡ３５０Ｂ、合計ノード３６０Ｂ、およびＡＤＣ３７０Ｂを含むように示されている。前記ＤＡＣ３２０Ｂおよび電力増幅器３３０Ｂが第２のトランシーバー・チェーン２２０Ｂのための前記送信回路を形成し、前記ＬＮＡ３５０ＢおよびＡＤＣ３７０Ｂが第２のトランシーバー・チェーン２２０Ｂのための受信回路を形成することに、留意されたい。さらに、簡潔にするために図３に示されていないが、第２のチェーン２２０Ｂの送信回路は、例えばミキサー、フィルター、および電力制御テーブルを含む他の周知のエレメントを含むことができ、前記第２のチェーン２２０Ｂの受信回路は、例えばミキサー、フィルター、およびダウン・サンプラーを含む他の周知のエレメントを含むことができる。
【００１７】
[0022]  前記干渉プロセッサ２４０は、第２のチェーン２２０Ｂの前記電力増幅器３３０Ｂの出力に結合されているデータ入力、第１のチェーン２２０Ａの合計回路３６０Ａのネガティブ入力に結合されているデータ出力、およびイネーブル信号ＥＮを受信するための制御入力を含むように、示されている。いくつかの実施形態に関しては、前記イネーブル信号ＥＮは、コア・ロジック２１０によって生成される。他の実施形態に関しては、前記イネーブル信号ＥＮは、他の適切な回路、センサ、および／またはデバイスによって生成されることができる。有効にされる（enabled）とき、前記干渉プロセッサ２４０は、以下により詳細に説明されるように、前記第１のチェーンの較正の間に、第２のチェーンによって送信され且つ第１のチェーンによって干渉として受信される信号を補償するために、使用されることができる。干渉プロセッサ２４０は、アナログ回路または論理ゲートのようなハードウェア・コンポーネントを使用して実現されることができ、また、ソフトウェア・モジュールおよび／またはコンピュータ・プログラムを含むことができる。
【００１８】
[0023]  通常の送信および受信動作の間に、前記イネーブル信号ＥＮは、前記干渉プロセッサ２４０を不可能にするように、（例えば、ロジック・ローに（to logic low））デ・アサートされる（de-asserted）。このことに応答して、干渉プロセッサ２４０は、前記第１の合計回路３６０Ａにいかなる信号も提供せず、このことによって、前記第１および第２のチェーンが通常の方法で動作することを可能にする。より具体的には、通常の送信動作の間に、前記コア・ロジック２１０は、並行して、それぞれ第１および第２のアンテナ２３１−２３２を介する前記第１および第２のトランシーバー・チェーン２２０Ａおよび２２０Ｂを使用して、他のワイヤレス・デバイスまたはアクセス・ポイントへの送信のための、デジタル・データ信号を生成することができる。例えば、並行して両方の送信チェーンを使用するために、コア・ロジック２１０内に生成される前記デジタル信号は、さまざまな技術（例えば、空間ダイバーシティ、ビーム・フォーミングなど）を使用して２つの個別の信号Ｓ１およびＳ２に分けられることができ、そして、それぞれのチェーン２２０Ａおよび２２０Ｂに提供されることができる。そして、コア・ロジック２１０からデジタル信号を受信する各チェーン２２０に関しては、前記デジタル信号は、ＤＡＣ３２０によってアナログ信号に変換され、そして、関連するアンテナ２３１および２３２による送信のために、周知の方法で、電力増幅器３３０によって、増幅される。
【００１９】
[0024]  前記２つのチェーン２２０Ａおよび２２０Ｂがそれぞれのアンテナ２３１および２３２を使用して同じデータの異なるパケットまたは部分を並行して送信するとき、前記２つの信号Ｓ１およびＳ２は、前記アンテナ２３１および２３２間の空間的差異を補償するために、異なって処理されることができる、ということに留意されたい。
【００２０】
[0025]  通常の受信動作の間に、第１のアンテナ２３１によって受信される信号は、第１のチェーン２２０Ａに提供され、第２のアンテナ２３２によって受信される信号は、第２のチェーン２２０Ｂに提供される。関連したアンテナから信号を受信する各チェーンに関しては、ＬＮＡ３５０は、前記受信された信号を増幅し、結果として増幅されたアナログ信号を合計ノード３６０のポジティブ入力に提供し、前記ポジティブ入力は、ＡＤＣ３７０に前記増幅されたアナログ信号をパスする。このことに応答して、ＡＤＣ３７０は、コア・ロジック２１０による次の処理のために、前記アナログ信号をデジタル信号に変換する。
【００２１】
[0026]  電力増幅器３３０Ａおよび３３０Ｂのような電力増幅器は、典型的に、入力電圧変動に応答して、非線形性を示す。より具体的には、前記電力増幅器３３０Ａおよび３３０Ｂの各々は、典型的に、熱およびプロセスの変動を感じやすいために、広範囲の電力レベルの変動を示すので、電力増幅器３３０Ａおよび３３０Ｂは、下記により詳細に説明されるように、このような望ましくない電力レベルの変動を補償するために現在の実施形態に従って動的に較正されることができる。例えば、図４は、図３の電力増幅器３３０Ａおよび３３０Ｂのような電力増幅器の非線形の伝達関数を示す図である。実線が、前記電力増幅器（ＰＡ)の入力電圧（ＶＩＮ)および出力電圧（ＶＯＵＴ)間の関係が一定の傾斜を有する（例えば、線形である）ための動作の線形領域を示し、破線５０１は、電力増幅器ＰＡの前記非線形の領域を示す。破線５０１によって示されている前記非線形領域は、前記入力電圧が一定量を超えて高まるのに従って、前記出力電圧を横這い状態にさせる、前記電力増幅器の伝達関数における、３次の調和項（third-order harmonic term）によって生じる。
【００２２】
[0027]  図３を再度参照すると、いくつかの実施形態に関しては、合計回路３６０によって提供される較正信号が、前記関連する電力増幅器３３０の非線形性を補償するプレディストーション信号として、使用されることができる。例えば、電力増幅器３３０Ａが前記非線形領域において動作する場合、これの出力信号ＯＵＴ_Ａの非線形性が、測定されることができ、そして、電力増幅器３３０Ａへの入力信号を予め歪ませること（pre-distorting）によって、非線形性を予め補償するために使用されることができ、この結果、電力増幅器３３０Ａの得られる出力信号が、線形となる。
【００２３】
[0028]  前記第２のチェーン２２０Ｂがアンテナ２３２から出力信号Ｔｘ_Ｂを送信している間に実施される前記第１のチェーン２２０Ａの例示的な較正動作が、以下に説明される。本実施形態は、前記第１のチェーン２２０Ａがアンテナ２３１から出力信号Ｔｘ_Ａを送信している間に前記第２のチェーン２２０Ｂを較正することに対して、同様に適用可能であることが、理解されるべきである。前記第１のチェーン２２０Ａの較正動作を開始するために、前記イネーブル信号ＥＮは、前記干渉プロセッサ２４０を可能にするために、（例えば、ロジック・ハイに（to logic high））アサートされる。このことに応答して、干渉プロセッサ２４０は、動作可能となり、前記第１のチェーン２２０Ａの合計ノード３６０Ａのネガティブ入力に、前記第２のチェーン２２０Ｂの電力増幅器３３０Ｂの出力を接続し、前記第１のチェーン２２０Ａの較正の間に、前記第２のチェーン２２０Ｂが第２のアンテナ２３２から信号Ｔｘ_Ｂとしてデータを送信し続けることを、前記第１のアンテナ２３１によって望ましくないことに受信されるＴｘ_Ｂに関連した任意の干渉信号を補償することによって、可能にする。
【００２４】
[0029]  より具体的には、前記第1のチェーンＡの較正の間に、前記コア・ロジック２１０は、第１のチェーンＡに提供される第１のデジタル信号Ｓ１を生成し、並行して、第２のアンテナ２３２を介して、Ｔｘ_Ｂとして送信のために第２のチェーンＢに提供される第２のデジタル信号Ｓ２を生成する。前記第１のデジタル信号Ｓ１は、以下に説明されるように、前記第１のチェーン２２０Ａの前記電力増幅器３３０Ａを較正するために使用され、いくつかの実施形態では、前記第１のデジタル信号Ｓ１は、Ｔｘ_Ａとして第１のアンテナ２３１を介して第１のチェーン２２０Ａから送信される実データであることができる。前記第１の信号Ｓ１は、ＤＡＣ３２０Ａによってアナログ信号に変換され、そして、電力増幅器３３０Ａによって増幅される。前記電力増幅器３３０Ａの出力信号（ＯＵＴ_Ａ)は、減衰回路３４０Ａによって減衰され、ＬＮＡ３５０Ａの入力に、ループバック較正信号（ＬＢ_Ａ)として提供される。前記減衰回路３４０Ａは、通常は第１のアンテナ２３１によって提供される増幅されていない信号を通常受信する前記ＬＮＡ３５０Ａにダメージを与えることを防ぐために、電力増幅器３３０Ａによって増幅された前記信号を減衰する。このようにして、減衰回路３４０Ａは、前記信号ＯＵＴ_Ａを減衰し、この結果、前記信号ＯＵＴ_Ａは、ＬＮＡ３５０Ａの動作の線形範囲内にある。前記ＬＮＡ３５０Ａは、通常の方法で前記ループバック較正信号を増幅し、合計ノード３６０Ａのポジティブ入力に、得られた信号ＬＢ_Ａ’を提供する。
【００２５】
[0030]  前記第２の信号Ｓ２は、ＤＡＣ３２０Bによってアナログ信号に変換され、電力増幅器３３０Ｂによって増幅され、そして、第２のアンテナ２３２によってＴｘ_Ｂとして送信される。前記第１のアンテナ２３１は、前記第１のチェーン２２０Ａの較正の間に動作可能状態であり続けるので、前記第１のアンテナ２３１は、ＬＮＡ３５０Ａの入力に提供される前記ループバック信号ＬＢ_Ａに含まれて（例えば、これに重ね合わされて）いる干渉信号として、前記送信された第２の信号Ｔｘ_Ｂを、望ましくないことに、ピック・アップする可能性がある。かくして、第２のチェーン２２０Ｂが前記信号Ｔｘ_Ｂを並行して送信している間の第１のチェーン２２０Ａの較正動作のために、前記ループバック較正信号ＬＢ_Ａは、電力増幅器３３０Ａによって生成される信号ＯＵＴ_Ａのコンポーネントと、前記第２のチェーン２２０Ｂによって送信される信号Ｔｘ_Ｂの望ましくないコンポーネントとを含む。
【００２６】
[0031]  前記第２のチェーン２２０Ｂの前記電力増幅器３３０Ｂの前記出力信号（ＯＵＴ_Ｂ)は、合計回路３６０Ａのネガティブ入力に提供され且つ前記第１のチェーン２２０Ａの第１のアンテナ２３１によって信号Ｔｘ_Ｂの望ましくない受信を補償するために使用される補償信号（ＣＭＰ_Ｂ）を生成するために、前記干渉プロセッサ２４０に提供され、これによって処理される。より具体的には、前記干渉プロセッサ２４０は利得の一致（gain matching）を実施し、および／または前記信号ＯＵＴ_Ｂを遅延する回路を含み、この結果、得られる補償信号ＣＭＰ_Ｂが前記合計回路３６０Ａによって前記ループバック較正信号ＬＢ_Ａ’から差し引かれると、前記望ましくないことに受信された信号ＴＸ_Ｂが、除去される。このようにして、前記合計回路３６０Ａは、電力増幅器３３０Ａによって生成される信号ＯＵＴ_Ａのコンポーネントを含み、第１のアンテナ２３１によって受信される信号Ｔｘ_Ｂの望ましくないコンポーネントを含んでいない較正信号ＣＡＬ_Ａを生成する。
【００２７】
[0032]  他の実施形態に関しては、合計回路３６０Ａの前記ネガティブ入力は、ポジティブ入力によって取り替えられることができ、前記干渉プロセッサ２４０は、第１のチェーン２２０Ａの受信パスからの信号Ｔｘ_Ｂの望ましくないコンポーネントを取り消すために、１８０度だけ前記フィードバック信号ＯＵＴ_Ｂを位相偏移するように構成されることができる。さらに他の実施形態に関しては、合計回路３６０Ａは、前記合計回路３６０Ａの出力ターミナルがＬＮＡ３５０Ａの入力に接続され、且つ、合計回路３６０Ａの前記ポジティブ信号が第１のアンテナ２３１および減衰回路３４０Ａの出力に接続されるように、前記ＬＮＡ３５０Ａの前に配置されることができる。
【００２８】
[0033]  そして、前記較正信号ＣＡＬ_Ａは、ＡＤＣ３７０Ａによってデジタル信号に変換されることができ、そして、前記第２のチェーン２２０Ｂが通常の方法でデータを送信している間に前記第１のチェーン２２０Ａの前記電力増幅器３３０Ａを正確に較正するように、コア・ロジック２１０によって使用される。いくつかの実施形態に関しては、前記較正信号ＣＡＬ_Ａは、例えば周知のプレディストーション技術を使用して、電力増幅器の３３０Ａの非線形性を補償するプレディストーション信号として、使用されることができる。これらのプレディストーション技術は、コア・ロジック２１０において実施されることができ、または、代替として専用のプレディストーション・ブロック（簡潔にするために示されていない）において実施されることができる。他の実施形態に関しては、前記較正信号ＣＡＬ_Ａは、電力増幅器３３０Ａの利得設定値および／または電力レベルを調整するために使用されることができ、および／または、ＤＡＣ３２０Ａのさまざまな設定値を調整するために使用されることができる。さらに他の実施形態では、前記較正信号ＣＡＬ_Ａは、前記トランシーバー・チェーンの各々に対して送信電力制御スキームを向上させるために、スペクトル・マスク測定（spectral mask measurement）、および／またはエラー・ベクトル振幅（ＥＶＭ：error vector magnitude）測定のために使用されることができる。
【００２９】
[0034]  かくして、本実施形態に従えば、一方のトランシーバー・チェーンにおける電力増幅器を、他方のトランシーバー・チェーンが通常の方法でデータを送信する間に、動的に較正する能力は、前記第１の電力増幅器の較正が、ワイヤレス通信デバイス３００のデータ・スループットを減じることなく正確に実施されることを、可能にする。実際、前記ループバック較正信号ＬＢ_Ａからの、Ｔｘ_Ｂの望ましくないコンポーネントのアクティブ・キャンセル（active cancellation）は、較正するチェーンの前記電力増幅器３３０Ａを正確且つ動的に較正するために、前記較正信号ＬＢ_Ａに対して、受け入れ可能な信号対騒音比（ＳＮＲ)を維持する。このようにして、両方のトランシーバー・チェーンの前記電力増幅器は、性能に不利に影響することなく、動作の線形領域に維持されることができる。
【００３０】
[0035]  いくつかの実施形態に関しては、前記干渉プロセッサ２４０は、振幅および位相を有する複素数Ｈを操作する干渉調整（interference conditioning）を実施するように構成されることができ、ここにおいて、前記複素数Ｈは、干渉を生じさせる結合チャンネルを特徴づける。このような操作は、所望の信号に干渉を結合する前記チャンネルが平坦な応答（flat response）を有する（例えば、マルチパスが存在しない）ときに、使用されることができる。他の実施形態に関しては、前記干渉の調整は、各サブ帯域幅に対して１つの、複数の複素数を操作することを含むことができる。この操作は、前記結合チャンネルが、周波数選択的（frequency selective）であるとき（例えば、サブ帯域内に平坦な応答があるが、マルチパスの状態がサブ帯域間に存在するとき）に、使用されることができる。
【００３１】
[0036]  一実施形態に関しては、前記干渉プロセッサ２４０は、参照によって全体が本書に含まれている、２０１０年４月２８日付で提出された「Active Cancellation of Interference in a Wireless Communication System」というタイトルの、自己（commonly-owned）の、および同時係属出願の米国特許出願番号１２／７６９，５３６に開示されているタイプのアクティブ干渉キャンセル（ＡＩＣ：active interference cancellation）を使用することができる。例えば、上に参照された特許出願に記載されている技術を使用して、図３の前記第２のアンテナ２３２から送信される信号は、前記第１のアンテナ２３１において干渉として受信される。ＡＩＣ回路は、前記第１のアンテナ２３１において見られる干渉に近づけるように、前記第２のチェーン２２０Ｂの送信フロント・エンドにおいて、前記干渉の、干渉リファレンス（interference reference）を操作する干渉調整を提供することができる。前記干渉調整のチューニングの後に、干渉が、除去されることができる。前記ループバック較正信号に存在する干渉コンポーネントを除去するためにこのようなＡＩＣ回路を使用することは、前記第２のチェーン２２０Ｂが実データ・パケットを送信している間に、（例えば周知の、すなわち所定の信号波形を有する「ダミーの」データ・パケットを使用するのとは対照的に、）実データ・パケットを使用して正確に較正する能力を、向上させる。
【００３２】
[0037]  図５は、図１のワイヤレス通信デバイス１００の別の実施形態である複数のアンテナ・ワイヤレス通信デバイス５００の機能ブロック図である。デバイス５００は、複数の（ｎ個の）受信チェーンを有する受信回路５１０および複数の（ｎ個の）送信チェーンを有する送信回路５２０を含むことを除いて、図３のデバイス３００と同一である。各受信チェーンは、受信ＡＤＣ５１８を介してコア・ロジック５３０とアンテナ５１２のうちの対応する１つとの間に結合されている同相・直交（ＩＱ）復調器（in-phase quadrature (ＩＱ) demodulator）５１６およびＬＮＡ５１５を含む。例えば、第１の受信チェーンは、受信ＡＤＣ５１８および第１のアンテナ５１２（１）間に結合されているＩＱ復調器５１６（１）およびＬＮＡ５１５（１）を含む。簡潔にするために図５には示されていないが、各受信チェーンは、可変利得増幅器（ＶＧＡ）、フィルター、および他のフロント・エンド受信回路のような他のコンポーネントを含むことができる。ＩＱ復調器５１６は、アナログまたはデジタル変調のようなさまざまな変調スキーム（例えば、ガウス周波数偏移変調（ＧＦＳＫ：Gaussian frequency-shift keying）、位相偏移変調（ＰＳＫ：phase-shift keying）、直交振幅変調（ＱＡＭ：quadrature amplitude modulation）など）によって、信号を変調することができる。受信機ＡＤＣ５１８は、個々のＩＱ変調器５１６のＩおよびＱチャンネルのアナログ同相（Ｉ）信号ＩＲおよび直交（Ｑ）信号ＱＲを受信し、コア・ロジック５３０によって処理するために、これらをデジタル信号に変換する。
【００３３】
[0038]  送信機５２０は、複数のチェーンの送信機であり、ここにおいて、各送信チェーンは、送信ＤＡＣ５２８を介してコア・ロジック５３０と複数のアンテナ５２２のうちの対応する１つとの間に結合されているＩＱ変調器５２６および電力増幅器５２５を含む。例えば、第１の送信チェーンは、送信ＤＡＣ５２８を介して第１のアンテナ５２２（１）とコア・ロジック５３０との間に結合されている電力増幅器５２５（１）およびＩＱ変調器５２６（１）を含む。送信機のベースバンド部分（明瞭にするために図５に示されていない）は、ＤＡＣ５２８に、各送信チェーンのＩおよびＱチャンネルのためのデジタル信号を提供し、そして、ＤＡＣ５２８は、前記デジタル信号をアナログのＩおよびＱ信号に変換する。各送信チェーンの前記アナログのＩおよびＱ信号（すなわち、ＩＴおよびＱＴ信号）が、コア・ロジック５３０からそれぞれのＩＱ変調器５２６に提供され、そして、ＩおよびＱ信号を、各送信チェーンの電力増幅器５２５に提供されるＲＦ信号へと混合する。前記電力増幅器５２５は、１つ以上のＶＧＡｓによって先行される多段の電力増幅器または単一の電力増幅器であることができる。
【００３４】
[0039]  デバイス５００は、このデバイス５００の機能的な動作を示すために個別の受信および送信アンテナ５１２および５２２を有するように図５に示されている、ということに留意されたい。多くの実際の実施形態では、アンテナ５１２および５２２は、同じアンテナである。例えば、実際の実施形態では、前記第１の送信チェーンおよび第１の受信チェーンは、第１の共通のアンテナを共有し、前記第２の送信チェーンおよび前記第２の受信チェーンは、第２の共通のアンテナを共有する。
【００３５】
[0040]  図４に関して上述されたように、多くの電力増幅器は、（ＩＱ変調器５２６によって導かれるＩＱミスマッチによって悪化される可能性がある）非線形性を示す。これらの非線形性は、例えば、図３に関して上述されたように、プレディストーション較正動作を使用して、処理されることができる。プレディストーション較正動作は、ＩＱミスマッチ較正モジュール５３２およびプレディストーション・モジュール５３５を使用して実施されることができる。図５Ａの例示的な実施形態に示されているように、ＩＱミスマッチ較正モジュール５３２およびプレディストーション・モジュール５３５は、図２のコア・ロジック２１０の一実施形態であるコア・ロジック５３０内に含まれることができる。
【００３６】
[0041]  較正動作の間に、干渉プロセッサ２４０は、電力増幅器５２５（１）−５２５（ｎ）の出力から入力信号を受信し、ＬＮＡｓ５１５（１）−５１５（ｎ）の入力において、合計回路（簡潔にするために示されていない）に、対応する補償信号を提供する。より具体的には、較正される各送信チェーンに関して、干渉プロセッサ２４０は、全ての他の送信チェーンにおいて、電力増幅器５２５の出力から入力信号を受信し、較正される送信チェーンのループバック較正信号から望ましくない干渉を除去するために使用されることができる補償信号を生成する。例えば、ミスマッチ較正モジュール５３２は、前記較正する送信チェーンに対応する振幅および位相のエラーの値を決定するために、受信機ＡＤＣ５１８から受信される信号を分析し、さらなる処理のためにプレディストーション・モジュール５３５にこのようなエラーを提供する。プレディストーション・モジュール５３５は、対応する送信チェーンのプレディストーション較正のために、振幅および位相のエラーの、受信された値を使用する。例えば、プレディストーション・モジュール５３５は、デジタル・アナログ変換のために、送信機ＤＡＣ５２８に、デジタルのプレディストーション制御信号を提供する。較正されたアナログのプレディストーション制御信号は、それぞれの電力増幅器５２５のプレディストーション較正を実施するために、それぞれのＩＱ変調器５２６および電力増幅器５２５によって使用される。
【００３７】
[0042]  いくつかの実施形態に関しては、干渉プロセッサ２４０は、前述の米国特許１２／７６９，５３６に開示されているタイプの複数のＡＩＣ回路を含むことができ、このことによって、プレディストーション較正動作が、全ての他の送信チェーンが動作中である（すなわち、信号を送信している）間に、選択された送信チェーンにおいて実施されることを、可能にする。他の実施形態に関しては、回路オーバーヘッドを減じるが、１つのチェーンのみを一度に較正することができる単一の構造化可能なＡＩＣ回路が、使用されることができる。
【００３８】
[0043]  図６は、ワイヤレス通信デバイスの一方のトランシーバー・チェーンが、前記デバイスの他方のトランシーバー・チェーンが動作中である間に較正されることを可能にする、いくつかの実施形態に係る例示的な較正動作を示す実例的なフローチャートである。また、図３を参照すると、前記較正動作の間に、前記デバイス３００の第１のトランシーバー・チェーン２２０Ａは、前記デバイス３００の第２のトランシーバー・チェーン２２０Ｂが第２のアンテナ２３２を使用して第２の出力信号を並行して送信する（６０４）間に、第１のアンテナ２３１を使用して第１の出力信号を送信する（６０２）。そして、前記第１の出力信号は、前記第１のトランシーバー・チェーンの送信回路から前記第１のトランシーバー・チェーンの受信回路へ、ループバック較正信号として、送信される（６０６）。並行して、前記干渉プロセッサ２４０は、補償信号を生成するために、前記第２のトランシーバー・チェーンから受信される第２の出力信号を処理する（６０８）。上述のように、前記補償信号は、前記第１のアンテナによって受信される前記第２の出力信号の望ましくないコンポーネントを、前記ループバック較正信号から除去する。次に、前記補償信号は、第１の較正信号を生成するために、前記ループバック較正信号から差し引かれる（６１０）。そして、前記第１のトランシーバー・チェーンの１つ以上のコンポーネントの設定は、前記第１の較正信号に応答して選択的に調整される（６１２）。前述のように、いくつかの実施形態に関しては、前記第１の較正信号は、コア・ロジック２１０によって前記第１のトランシーバー・チェーン２２０Ａに提供される信号を予め歪ませるプレディストーション信号として使用されることができる。他の実施形態に関しては、前記第１の較正信号は、前記第１のトランシーバー・チェーン２２０Ａ内に提供される電力増幅器３３０Ａの利得設定値を選択的に調整するために、および／または、前記第１のトランシーバー・チェーン２２０Ａ内に提供されるＤＡＣ３２０Ａの設定値を調整するために、使用されることができる。
【００３９】
[0044]  特定の実施形態が示されている、および説明されている一方で、変更及び修正が、より広い範囲の態様において、本開示から逸脱することなくなされ得、従って、添付の請求項は、これらの範囲内に、本開示の真の精神および範囲内にあるこのような変更及び修正を含むべきであることが、当業者には明らかだろう。
以下に、本願出願の当初の特許請求の範囲に記載された発明を付記する。
［Ｃ１］
第１の出力信号を送信している一方のトランシーバー・チェーンを、他方のトランシーバー・チェーンが第２の出力信号を並行して送信している間に較正するように構成されているワイヤレス通信デバイスであって、
コア・ロジックおよび第１のアンテナ間に並列で結合されている第１の送信回路および第１の受信回路を含む第１のトランシーバー・チェーンであって、この第１のトランシーバー・チェーンは、前記第１の送信回路から前記第１の受信回路に直接的に、ループバック較正信号として前記第１の出力信号を送信するように構成されているループバック・パスをさらに含む、第１のトランシーバー・チェーンと、
前記コア・ロジックおよび第２のアンテナ間に並列で結合されている第２の送信回路および第２の受信回路を含む第２のトランシーバー・チェーンであって、この第２のトランシーバー・チェーンは、前記第１のトランシーバー・チェーンが前記第１のアンテナを介して前記第１の出力信号を送信する間に、前記第２のアンテナを介して前記第２の出力信号を送信する、第２のトランシーバー・チェーンと、
前記第１の送信回路および前記第１の受信回路間に接続されている干渉プロセッサであって、この干渉プロセッサは、前記第１のアンテナによって受信される前記第２の出力信号の望ましくないコンポーネントを、前記ループバック較正信号から除去する補償信号を生成するために、前記第２の出力信号を処理するように構成されている、干渉プロセッサと、を備えた、ワイヤレス通信デバイス。
［Ｃ２］
前記第１および第２の出力信号は、所定の波形を有するダミーのパケットではない、請求項１に記載のデバイス。
［Ｃ３］
前記干渉プロセッサは、前記干渉プロセッサを選択的に可能にするイネーブル信号を受信するために、制御入力をさらに含む、請求項１に記載のデバイス。
［Ｃ４］
前記第１の受信回路は、前記第２のトランシーバー回路が前記第２の出力信号を送信している間に前記第１のトランシーバー・チェーンを較正する第１の較正信号を生成するために、前記ループバック較正信号から前記補償信号を差し引く合計ノードをさらに含む、請求項１に記載のデバイス。
［Ｃ５］
前記第２の出力信号は、第２の送信チェーン内の電力増幅器の出力信号を含む、請求項４に記載のデバイス。
［Ｃ６］
前記第１の較正信号は、前記第１の送信回路内の電力増幅器の非線形性を予め補償するために、前記第１のトランシーバー・チェーンに前記コア・ロジックによって提供される信号を予め歪ませるプレディストーション信号を含む、請求項４に記載のデバイス。
［Ｃ７］
前記第１の較正信号は、電力増幅器の非線形性を予め補償するために、前記第１の送信回路内の電力増幅器の利得設定値を選択的に調整する、請求項４に記載デバイス。
［Ｃ８］
前記ループバック・パスは、前記ループバック較正信号を生成するために前記第１の出力信号を減衰する減衰回路を含む、請求項４に記載のデバイス。
［Ｃ９］
ワイヤレス通信デバイスの一方のトランシーバー・チェーンを、前記デバイスの他方のトランシーバー・チェーンが動作中である間に較正する方法であって、
第２のアンテナを使用して前記デバイスの第２のトランシーバー・チェーンから第２の出力信号を並行して送信している間に、第１のアンテナを使用して前記デバイスの第１のトランシーバー・チェーンから第１の出力信号を送信することと、
前記第１のトランシーバー・チェーンの送信回路から前記第１のトランシーバー・チェーンの受信回路にループバック較正信号として前記第１の出力信号を送信することと、
補償信号を生成するために干渉プロセッサにおける前記第２の出力信号を処理することと、
第１の較正信号を生成するために、前記ループバック較正信号から前記補償信号を差し引くことと、
前記第１の較正信号に応答して前記第１のトランシーバー・チェーンの１つ以上のコンポーネントの設定値を選択的に調整することと、を含む、方法。
［Ｃ１０］
前記補償信号は、前記第１のアンテナによって受信される前記第２の出力信号の望ましくないコンポーネントを、前記ループバック較正信号から除去する、請求項９に記載の方法。
［Ｃ１１］
前記第２の出力信号の前記望ましくないコンポーネントは、前記第１のトランシーバー・チェーンの前記受信回路において、前記ループバック較正信号に重ね合わされる、請求項１０に記載の方法。
［Ｃ１２］
前記第１および第２の出力信号は、所定の波形を有するダミーのパケットではない、請求項９に記載の方法。
［Ｃ１３］
前記第１の較正信号は、コア・ロジックによって前記第１のトランシーバー・チェーンに提供される信号を予め歪ませるプレディストーション信号を含む、請求項９に記載の方法。
［Ｃ１４］
前記第１の較正信号は、前記第１のトランシーバー・チェーン内に提供される電力増幅器の利得設定値を選択的に調整する、請求項９に記載の方法。
［Ｃ１５］
第１の信号を送信している一方のトランシーバー・チェーンを、他方のトランシーバー・チェーンが第２の信号を並行して送信している間に較正するように構成されているワイヤレス通信デバイスであって、
第２のアンテナを使用して前記デバイスの第２のトランシーバー・チェーンから第２の出力信号を並行して送信している間に、第１のアンテナを使用して前記デバイスの第１のトランシーバー・チェーンから第１の出力信号を送信するための手段と、
前記第１のトランシーバー・チェーンの送信回路から前記第１のトランシーバー・チェーンの受信回路にループバック較正信号として前記第１の出力信号を送信するための手段と、
補償信号を生成するために、干渉プロセッサにおいて前記第２の出力信号を処理するための手段と、
第１の較正信号を生成するために、前記ループバック較正信号から前記補償信号を差し引くための手段と、
前記第１の較正信号に応答して前記第１のトランシーバー・チェーンの１つ以上のコンポーネントの設定値を選択的に調整するための手段と、を含む、ワイヤレス通信デバイス。
［Ｃ１６］
前記補償信号は、前記第１のアンテナによって受信される前記第２の出力信号の望ましくないコンポーネントを、前記ループバック較正信号から除去する、請求項１５に記載のデバイス。
［Ｃ１７］
前記第２の出力信号の前記望ましくないコンポーネントは、前記第１のトランシーバー・チェーンの前記受信回路において、前記ループバック較正信号に重ね合わされる、請求項１６に記載のデバイス。
［Ｃ１８］
前記第１および第２の出力信号は、所定の波形を有するダミーのパケットではない、請求項１５に記載のデバイス。
［Ｃ１９］
前記第１の較正信号は、前記第１のトランシーバー・チェーンにコア・ロジックによって提供される信号を予め歪ませるプレディストーション信号を含む、請求項１５に記載のデバイス。
［Ｃ２０］
前記第１の較正信号は、前記第１のトランシーバー・チェーン内に提供される電力増幅器の利得設定値を選択的に調整する、請求項１５に記載のデバイス。
【図１】
0005813876.tif 000002
【図２】
0005813876.tif 000003
【図３】
0005813876.tif 000004
【図４】
0005813876.tif 000005
【図５】
0005813876.tif 000006
【図６】
0005813876.tif 000007